(57)【要約】【課題】  台車に積んだ荷物を安定した状態で運び、一体的に降ろすことが容易にできる荷物運搬用台車を提供すること。【解決手段】  複数の車輪を下部に有する台車本体と、前記台車本体の後部に取り付けられるハンドルと、を備えた荷物運搬用台車であって、台車本体は、荷物の運搬時に該荷物の載置状態を保つ載置部と、荷物の送出時に該荷物の下面に接して送り出す送出部と、車輪による前記台車本体の移動を止めるロック装置と、を備え、送出部は、荷物の送出時に荷物を前方に送出するために必要な力を低減させる抵抗低減部を荷物との接触部に有し、ロック装置と送出部との間には、ロック装置のロック操作で送出部の上端が載置部の上端よりも上昇して荷物を送出部に載せる昇降機構を備えている。【選択図】  図１
2017095037.tif 000002
【特許請求の範囲】
【請求項１】
複数の車輪を下部に有する台車本体と、前記台車本体の後部に取り付けられるハンドルと、を備えた荷物運搬用台車であって、
前記台車本体は、荷物の運搬時に該荷物の載置状態を保つ載置部と、前記荷物の送出時に該荷物の下面に接して送り出す送出部と、前記車輪による前記台車本体の移動を止めるロック装置と、を備え、
前記送出部は、前記荷物の送出時に該荷物を前方に送出するために必要な力を低減させる抵抗低減部を前記荷物との接触部に有し、
前記ロック装置と前記送出部との間には、前記ロック装置のロック操作で該送出部の上端が前記載置部の上端よりも上昇して前記荷物を該送出部に載せる昇降機構を備えている、ことを特徴とする荷物運搬用台車。
【請求項２】
前記抵抗低減部は、前記荷物の送出方向と直交する軸心周りで回転するローラ部材で構成されている、請求項１に記載の荷物運搬用台車。
【請求項３】
前記載置部は、前記荷物の載置部分に滑り止め部材を有している、請求項１又は２に記載の荷物運搬用台車。
【請求項４】
前記載置部は、前記台車本体の後端部から前後方向長さの中間部分までの範囲に前記荷物の下面に接する保持部材を有し、
前記送出部は、前記台車本体の前部に設けた水平軸を支点として後部が上下方向に揺動する揺動枠をさらに備え、
前記ロック装置は、前記揺動枠の後部に位置して上下方向に進退する接触部材を有し、該ロック装置のロック操作で床面に向けて前記接触部材が進出し、該接触部材の床面接触により、前記揺動枠の後部を前記水平軸を中心に上方へ揺動させて前記送出部の上端を前記保持部材の上端よりも上昇させるように構成されている、請求項１〜３のいずれか１項に記載の荷物運搬用台車。
【請求項５】
前記台車本体は、該台車本体の前後方向の中間部分を支点として後部を上下方向に揺動させる昇降枠を有し、
前記昇降枠は、前記揺動枠の後部を昇降させる連結部材を有し、
前記ロック装置は、前記昇降枠の後部に取り付けられ、
前記ロック装置のロック操作で床面に向けて前記接触部材が進出し、該接触部材の床面接触により前記昇降枠の前記連結部材が前記揺動枠の後部を、前記水平軸を中心に上方へ揺動させるように構成されている、請求項４に記載の荷物運搬用台車。
【発明の詳細な説明】
【技術分野】
【０００１】
本発明は、荷物を載せて目的地まで運搬する荷物運搬用台車に関する。
【背景技術】
【０００２】
従来、建屋内などで荷物を運搬する場合は、手押し台車などの荷物運搬用台車が用いられている。一般的な荷物運搬用台車として、下部の４隅に車輪を設けた台車本体の上面に荷物の載置面を形成し、台車本体の一端に上方に延びるハンドルを設けたものがある。
【０００３】
しかし、このような荷物運搬用台車では、台車本体の載置面に積んだ荷物を降ろす際に、荷物を持ち上げて降ろす必要があり、作業に時間と労力を要する。また、台車に縦方向に積んだ複数の荷物を別の台車に載せ替える場合など、最初の台車の上部に積んだ荷物を別の台車に積み、最初の台車の下部に積んだ荷物を別の台車の荷物の上に積むことになる。この場合、最初の台車に下方から積んだ荷物の順番が、別の台車では異なった順番になってしまい、台車に積んだ荷物の一部を別々の場所で降ろす場合などには困る。また、荷物の順番を戻す場合には、さらに荷物の載せ替えが必要になり、労力を要するとともに効率が悪化する。
【０００４】
この種の先行技術として、台車の上面部にローラコンベアを配置したものが提案されている（例えば、特許文献１参照）。この台車では、荷物を積み降ろしするときに、ローラコンベア上を滑らせて全ての荷物を簡単に積み降ろしできる。
【０００５】
一方、この運搬用台車では、床面と台車の上面との間に段差が生じるので、床面などとの間で荷物を積み降ろしをする場合は荷物を持ち上げる作業が残る。そこで、台車と同じ高さの場所以外でも荷物の積み降ろしができるように、手押し杆を手元に引くことで、荷台の後部が上方に上がって荷台が前方に傾斜して、荷物を荷台上から滑り降ろすものがある（例えば、特許文献２参照）。
【先行技術文献】
【特許文献】
【０００６】
【特許文献１】特開昭６２−２０３７８０号公報
【特許文献２】実用新案登録第３０３８９２７号公報
【発明の概要】
【発明が解決しようとする課題】
【０００７】
しかし、上記いずれの先行技術でも、台車本体の上部に載せた荷物は常にローラの上部に載った状態で運搬される。そのため、運搬時には荷物が不安定になり、運搬時に安定した状態を保ちたい荷物（例えば、洋菓子などの崩れやすい物）の運搬には適さない場合がある。
【０００８】
そこで、本発明は、台車に積んだ荷物を安定した状態で運び、一体的に降ろすことが容易にできる荷物運搬用台車を提供することを目的とする。
【課題を解決するための手段】
【０００９】
上記目的を達成するために、本発明は、複数の車輪を下部に有する台車本体と、前記台車本体の後部に取り付けられるハンドルと、を備えた荷物運搬用台車であって、前記台車本体は、荷物の運搬時に該荷物の載置状態を保つ載置部と、前記荷物の送出時に該荷物の下面に接して送り出す送出部と、前記車輪による前記台車本体の移動を止めるロック装置と、を備え、前記送出部は、前記荷物の送出時に該荷物を前方に送出するために必要な力を低減させる抵抗低減部を前記荷物との接触部に有し、前記ロック装置と前記送出部との間には、前記ロック装置のロック操作で該送出部の上端が前記載置部の上端よりも上昇して前記荷物を該送出部に載せる昇降機構を備えている。
【００１０】
この構成により、荷物を載置部に載せた状態では安定した状態で運ぶことができる。荷物を降ろすときには、ロック装置のロック操作によって送出部の上端が載置部の上端よりも上昇して荷物が送出部の抵抗低減部上に載る。送出部の上端が載置部の上端よりも上昇する動作は相対的な動作であればよく、送出部の上昇、載置部の下降を含む。そして、送出部の抵抗低減部上に載せた荷物は、この抵抗低減部上を滑らせるようにして降ろすことができる。
【００１１】
また、前記抵抗低減部は、前記荷物の送出方向と直交する軸心周りで回転するローラ部材で構成されていてもよい。このように構成すれば、荷物をローラ部材の回転によって小さい抵抗で移動させることができる。
【００１２】
また、前記載置部は、前記荷物の載置部分に滑り止め部材を有していてもよい。このように構成すれば、載置部に積んだ荷物を定位置でより安定して保持することができる。
【００１３】
また、前記載置部は、前記台車本体の後端部から前後方向長さの中間部分までの範囲に前記荷物の下面に接する保持部材を有し、前記送出部は、前記台車本体の前部に設けた水平軸を支点として後部が上下方向に揺動する揺動枠をさらに備え、前記ロック装置は、前記揺動枠の後部に位置して上下方向に進退する接触部材を有し、該ロック装置のロック操作で床面に向けて前記接触部材が進出し、該接触部材の床面接触により、前記揺動枠の後部を前記水平軸を中心に上方へ揺動させて前記送出部の上端を前記保持部材の上端よりも上昇させるように構成されていてもよい。このように構成すれば、ロック装置のロック操作によって接触部材が床面に接触して、揺動枠の後部を上昇させる。この揺動枠の上昇により、載置部の上端よりも下方に位置している送出部の上端が載置部の上端よりも上昇して、荷物を送出部の抵抗低減部上で送り出すことができる。
【００１４】
また、前記台車本体は、該台車本体の前後方向の中間部分を支点として後部を上下方向に揺動させる昇降枠を有し、前記昇降枠は、前記揺動枠の後部を昇降させる連結部材を有し、前記ロック装置は、前記昇降枠の後部に取り付けられ、前記ロック装置のロック操作で床面に向けて前記接触部材が進出し、該接触部材の床面接触により前記昇降枠の前記連結部材が前記揺動枠の後部を、前記水平軸を中心に上方へ揺動させるように構成されていてもよい。このように構成すれば、ロック装置のロック操作で台車本体の前後方向中間部分に支点を有する昇降枠の後部を上昇させるので、接触部材の床面接触による昇降枠の上昇によって荷物を載せている揺動枠の後部を上昇させることができる。
【発明の効果】
【００１５】
本発明によれば、台車に積んだ荷物を安定した状態で運ぶことができ、所望の位置で一体的に降ろすことが容易に可能となる。
【図面の簡単な説明】
【００１６】
【図１】図１は、本発明の第１実施形態に係る荷物運搬用台車を示す斜視図である。
【図２】図２は、図１に示す荷物運搬用台車の平面図である。
【図３】図３は、図２に示すIII−III矢視の断面図である。
【図４】図４は、図１に示すロック装置の非ロック状態における昇降枠と揺動枠の関係を後方から見た図面である。
【図５】図５は、図４に示すロック装置のロック状態を後方から見た図面である。
【図６】図６は、図１に示す荷物運搬用台車による荷物運搬時の断面図である。
【図７】図７は、図６に示す荷物運搬用台車による荷物送出時の断面図である。
【図８】図８は、本発明の第２実施形態に係る荷物運搬用台車における荷物を送出するときの断面図である。
【発明を実施するための形態】
【００１７】
以下、本発明の実施形態を図面に基づいて説明する。以下の実施形態では、荷物運搬用台車１として手押し台車を例に説明し、台車本体２を枠組み構造とした例で説明する。この明細書及び特許請求の範囲の書類中における前後左右方向の概念は、図１に示す荷物運搬用台車１のハンドル４側から送出方向Ｄを見た状態における前後左右方向の概念と一致するものとする。
【００１８】
（荷物運搬用台車１の全体構成）
図１に示すように、第１実施形態の荷物運搬用台車１は、下部の４隅に車輪３を有する台車本体２と、この台車本体２の後部に取り付けられたハンドル４とを備えた手押し台車である。この荷物運搬用台車１は、台車本体２の下部に設けられた複数の車輪３によって移動可能となっている。台車本体２は、荷物Ｂの運搬時に、荷物Ｂの載置状態を保つ載置部１０と、荷物Ｂを前方の送出方向Ｄに送り出す送出時に荷物Ｂの下面に接する送出部２０と、上記車輪３による移動を止めるロック装置３０とを備えている。
【００１９】
（台車本体２の構成）
図１及び図２に示すように、上記台車本体２は、幅方向両端部に２本と、その間の前後方向に２本が設けられた第１枠体５と、上記第１枠体５の前端部を左右方向に連結する第２枠体６と、上記第１枠体５の後端部を左右方向に連結する第３枠体７とを有する枠組み構造となっている。
【００２０】
（送出部２０の構成）
図１及び図２に示すように、上記送出部２０は、台車本体２の幅方向両端部から少し内側の位置と、その間の前後方向に１本が設けられた前後方向枠体２１と、この前後方向枠体２１の前端部の間を左右方向に連結する前部左右枠体２２と、前後方向枠体２１の後端部左右方向に連結する後部左右枠体２３とを有する枠組み構造となっている。
【００２１】
この実施形態では、送出部２０を、送出方向Ｄの前部である台車本体２の前端部に設けた前部水平軸２５を支点として、送出方向Ｄの後部である揺動枠２４の後部左右枠体２３を上下方向に揺動させる揺動枠２４としている。送出部２０をこのような揺動枠２４とすることで、荷物Ｂを送出方向Ｄに送り出すときに送出部２０で荷物Ｂを持ち上げる力を小さくしている。つまり、前部水平軸２５で荷物Ｂの一部荷重を支持した状態で、後部左右枠体２３側に作用している荷重分を上昇させている。さらに、上記後部左右枠体２３には、荷物Ｂが台車本体２の後方へ落ちないようにするストッパ２７が設けられている。
【００２２】
上記送出部２０の前後方向枠体２１の上部には、荷物Ｂの送出時に、荷物Ｂを前方に送出するために必要となる力を低減させる抵抗低減部たるローラ部材２６が設けられている。この実施形態のローラ部材２６は、荷物Ｂの送出方向Ｄと直交する軸心周りで回転する。抵抗低減部をローラ部材２６とすることで、荷物Ｂは回転するローラ部材２６の上部を小さい抵抗で移動させることができる。抵抗低減部としては、ローラ部材２６の他、摩擦抵抗が小さい樹脂材などを用いることができる。
【００２３】
（載置部１０の構成）
上記載置部１０は、上記送出部２０の前後方向枠体２１の間で前後方向に延びるように設けられた２本の第１保持部材１１と、この第１保持部材１１の後部に設けられた第２保持部材１２とを有している。第１保持部材１１は、台車本体２の第１枠体５に設けられた脚材８で所定高さに固定されている（図３）。この実施形態の載置部１０は、上記台車本体２の後端部から前後方向長さの中間部分までの範囲に、荷物Ｂの下面に接する第１保持部材１１が設けられている。第１保持部材１１は、前後方向に延びる棒状の部材となっている。この実施形態では、第１保持部材１１が、台車本体２の後端部から台車本体２の前後方向長さの約２／３程度の位置まで設けられている。
【００２４】
また、これらの保持部材１１，１２には、荷物Ｂの載置部分に、滑り止め部材１３が設けられている。この実施形態では、棒状の保持部材１１，１２の周囲に滑り止め部材１３を被せているため、一体的な図となっている。滑り止め部材１３としては、例えば、柔軟性を有する樹脂材、ゴム材などを用いることができる。この滑り止め部材１３を設けることにより、載置部１０に積んだ荷物Ｂを定位置でより安定して保持することができる。
【００２５】
図３に示すように、荷物Ｂを運搬するときには、上記送出部２０のローラ部材２６の上端よりも、載置部１０の第１保持部材１１の上端が上方に位置した状態となり、ローラ部材２６は第１保持部材１１の上端よりも下がっている。
【００２６】
さらに、この実施形態では、上記送出部２０を上記台車本体２の前後方向の中間部分を支点として後部を上下方向に揺動させる昇降枠４０を有している。この昇降枠４０は、上記揺動枠２４の後部左右枠体２３を昇降させる連結部材４３を有している。
【００２７】
（昇降枠４０の構成）
図２，３に示すように、昇降枠４０は、台車本体２の第１枠体５に設けられた水平方向の支持軸４２を支点として、後方に延びる昇降枠体４１を有しており、後端部が上下方向に昇降（揺動）するようになっている。この昇降枠体４１の後端部に上記連結部材４３が設けられており、この連結部材４３が上記揺動枠２４の後部左右枠体２３と連結されている。従って、昇降枠４０の後端部が昇降（揺動）することで、揺動枠２４の後端部を昇降（揺動）させる。この昇降枠４０の後部に、ロック装置３０が取り付けられている。
【００２８】
図３に示す状態は荷物Ｂの運搬時であり、この状態では、昇降枠４０に設けた支持部材４４が、台車本体２の第１枠体５の上面に支持された状態となっている。このような昇降枠４０を設けて、後述するロック装置３０のロック操作で上記揺動枠２４の後部を上方へ揺動させるようにしている。図示する二点鎖線の揺動枠２４が上昇させた状態を示している（図７の状態）。
【００２９】
（ロック装置３０の構成）
図４は、上記ロック装置３０の非ロック状態における昇降枠４０と揺動枠２４の関係を後方から見た図面であり、図５は、図４に示すロック装置３０のロック状態を後方から見た図面である。上記ロック装置３０は、上記昇降枠４０の後部に設けられている。このロック装置３０は、上記揺動枠２４の後部で上下方向に進退する接触部材３１を有している。接触部材３１は、ロック装置３０の本体部分から進退する筒状のガイド部材３２によって進退させられる。この接触部材３１は、ロック装置３０のロック操作で床面Ｆに向けて進出して、接触部材３１の下面が床面Ｆに接触する。この接触部材３１の床面接触により、台車本体２を定位置で止めることができる。接触部材３１としては、ゴム材や樹脂材等の接触状態を保てる部材を用いることができる。
【００３０】
このロック装置３０には、ロック操作を行う第１ペダル３３と、ロック状態を解除する第２ペダル３４とが設けられている。第１ペダル３３を踏むと接触部材３１が床面Ｆに向けて突出し、第２ペダル３４を踏むと接触部材３１が後退して格納される。接触部材３１の突出と後退は、例えば、バネ部材などの力を利用することができる。接触部材３１を進退させる構成は、公知の技術を利用することができるため、詳細な説明は省略する。
【００３１】
このロック装置３０と上記送出部２０との間には、ロック装置３０のロック操作で、送出部２０の上端を上記載置部１０の上端よりも上昇させて荷物Ｂを送出部２０に載せる昇降機構５０が備えられている。この昇降機構５０は、ロック装置３０のロック操作により、床面Ｆに向けて進出させた接触部材３１が床面Ｆに接触し、この接触部材３１が床面Ｆに接触した後は、ロック装置３０が昇降枠４０の後部を上記支持軸４２を中心に上昇させて、この昇降枠４０の連結部材４３で上記揺動枠２４の後部を上方へ揺動させる機構である。すなわち、ロック装置３０の接触部材３１が床面Ｆに向けて進出して床面Ｆに接触すると、ロック装置３０の部分は接触部材３１の伸長量により、ロック操作前の位置よりも上昇する。ロック装置３０の上昇により、図５に示すように、支持部材４４が第１枠体５の上面から浮いた状態となる。
【００３２】
このような昇降機構５０により、ロック装置３０のロック操作によって接触部材３１が床面Ｆに接触して、昇降枠４０の後部を上昇させる。この昇降枠４０の後部が上昇することで連結部材４３で揺動枠２４の後部を上昇させ、載置部１０の上端よりも下方に位置している送出部２０の上端を、載置部１０の上端よりも上昇させる。すなわち、ロック装置３０のロック操作によって、揺動枠２４は、前端の前部水平軸２５を中心に後部が上方へ揺動し、ローラ部材２６の上端が保持部材１１，１２の上端よりも上昇させられて、保持部材１１，１２に載っていた荷物Ｂは、送出部２０のローラ部材２６の上部に載せられるので、このローラ部材２６上で送り出すことができる。
【００３３】
従って、荷物Ｂを載置部１０に載せた状態では安定した状態で運ぶことができ、荷物Ｂを降ろすときにはロック装置３０のロック操作によって送出部２０の上端が載置部１０の上端よりも上昇して、荷物Ｂが送出部２０のローラ部材２６上に載った状態にでき、全ての荷物Ｂを一体的に容易に降ろすことができる。
【００３４】
（荷物運搬用台車１の動作）
図６は、図１に示す荷物運搬用台車による荷物運搬時の断面図であり、図７は、図６に示す荷物運搬用台車による荷物送出時の断面図である。これらの図面では、いずれも図３と同じ断面における主要な構成のみを示している。これらの図面に基づいて、上記荷物運搬用台車１による荷物Ｂの運搬と送出を説明する。
【００３５】
図６に示すように、上記荷物運搬用台車１は、ロック装置３０をロック操作していない状態では、台車本体２は４隅の車輪３によって移動可能な状態となる。この状態では、荷物Ｂは載置部１０の保持部材１１，１２に載せられた状態で安定して移動させることができる。
【００３６】
そして、図７に示すように、荷物Ｂを降ろす位置でロック装置３０をロック操作する。このロック操作により、ロック装置３０の接触部材３１が下方に進出して床面Ｆに接触する。この接触部材３１の床面接触により、上記昇降枠４０の後部が支持軸４２を中心に上昇させられる。この昇降枠４０の上昇により、連結部材４３で揺動枠２４の後部左右枠体２３を上昇させる。
【００３７】
これにより、送出部２０のローラ部材２６が載置部１０の保持部材１１，１２よりも上方へ突出し、このローラ部材２６に荷物Ｂが載った状態となる。従って、ローラ部材２６に載った荷物Ｂは、ローラ部材２６上で滑らせるように送出することができる。しかも、載置部１０に載せた全ての荷物Ｂを一体的に送出することができるので、載置部１０に積んだ荷物Ｂをその積んだ順番のままで一体的に降ろすことができる。
【００３８】
（総括）
以上のように、上記荷物運搬用台車１によれば、台車本体２に積んだ荷物Ｂは載置部１０の滑り止め部材１３の上部に載置される。この載置部１０に積んだ荷物Ｂは、安定した状態で運搬することができる。そして、ロック装置３０のロック操作によって、台車本体２は移動が制限されるように停止させられ、同時に、送出部２０のローラ部材２６が載置部１０の滑り止め部材１３よりも上方へ突出する。これにより、荷物Ｂは載置部１０の保持部材１１，１２上から送出部２０のローラ部材２６に載った状態となる。
【００３９】
従って、荷物Ｂを台車本体２から降ろすときには、荷物Ｂはローラ部材２６に載った状態で、全てを一体的に前方へ送出して降ろすことが可能であり、荷物Ｂを降ろすときの労力を低減することができる。
【００４０】
また、複数の荷物Ｂを上下方向に積んだ場合でも、全ての荷物Ｂをその積まれた状態のままで降ろすことができ、荷物Ｂの順番が上下で入れ替わるようなこともない。
【００４１】
（その他の実施形態）
図８に示す第２実施形態の荷物運搬用台車６０のように、上記した送出部２０を全体的に昇降させるように構成してもよい。各構成には上記第１実施形態と同一の符号を付している。この実施形態の荷物運搬用台車６０によれば、荷物Ｂを降ろすときには、送出部２０の全体を上昇させ、ローラ部材２６の上端を載置部１０の上端よりも上方へ上昇させる。従って、載置部１０に積んだ荷物Ｂは、安定して運搬することができる。荷物を降ろすときには、ローラ部材２６上に載せた状態にして、一体的に降ろすことが容易にできる。なお、送出部２０の全体を昇降させる機構としては、リンク機構などを用いて実現すればよい。上記送出部２０の上端を載置部１０の上端よりも上昇させて荷物Ｂを送出部２０に載せる構成は、これらの実施形態に限定されるものではない。
【００４２】
また、上記した実施形態では荷物運搬用台車１として手押し台車を例にして説明したが、電動の台車など、上記した手押し台車以外でも、車輪３によって移動させる構成の台車であれば適用でき、台車の形式は上記実施形態に限定されるものではない。
【００４３】
さらに、上記した実施形態におけるローラ部材２６の構成や保持部材の構成などは一例であり、配置例の異なる構成や、大きさの異なる構成でもよく、本発明の要旨を損なわない範囲でこれらの構成を変更してもよく、本発明は上記した実施形態に限定されるものではない。
【符号の説明】
【００４４】
１  荷物運搬用台車
２  台車本体
３  車輪
８  脚材
１０  載置部
１１  第１保持部材
１２  第２保持部材
１３  滑り止め部材
２０  送出部
２１  前後方向枠体
２２  前部左右枠体
２３  後部左右枠体
２４  揺動枠
２５  前部水平軸
２６  ローラ部材（抵抗低減部）
３０  ロック装置
３１  接触部材
３３  第１ペダル
３４  第２ペダル
４０  昇降枠
４１  昇降枠体
４２  支持軸
４３  連結部材
４４  支持部材
５０  昇降機構
６０  荷物運搬用台車
Ｂ  荷物
Ｆ  床面
【図１】
2017095037.tif 000003
【図２】
2017095037.tif 000004
【図３】
2017095037.tif 000005
【図４】
2017095037.tif 000006
【図５】
2017095037.tif 000007
【図６】
2017095037.tif 000008
【図７】
2017095037.tif 000009
【図８】
2017095037.tif 000010